(57)【特許請求の範囲】
【請求項１】
２本の架空電線を接続するための圧縮形の接続スリーブであって、
前記２本の電線の芯線を圧縮接続するために電線接続用の挿着孔が両端部に設けられた導電性のスリーブ本体と、
このスリーブ本体の圧縮箇所を避けた外周面に固定され、前記スリーブ本体の周囲を覆うと共に前記スリーブ本体の前記端部よりも軸方向外側に伸張可能な絶縁被覆材と、
前記絶縁被覆材に取り付けられた把持部と、
前記絶縁被覆材の内面に設けられた接着剤と、
を具備し、
前記絶縁被覆材は、径の異なる複数の筒状体を軸方向に移動可能に嵌合し、前記把持部を最外段筒状体の外周面に設け、前記接着剤を前記最外段筒状体の内周面に設けたことを特徴とする接続スリーブ。
【請求項２】
前記把持部は、前記絶縁被覆材に対して破断可能に、又は、屈折可能に設けられていることを特徴とする請求項１記載の接続スリーブ。
【請求項３】
前記絶縁被覆材は、前記スリーブ本体の略中央に軸方向にずらして一対設けられ、一方の絶縁被覆材は、軸方向において他方の絶縁被覆材とは反対側に位置する一方の端部よりも軸方向外側に伸張可能であり、前記他方の絶縁被覆材は、軸方向において前記一方の絶縁被覆材とは反対側に位置する他方の端部よりも軸方向外側に伸張可能であることを特徴とする請求項１又は２記載の接続スリーブ。
【請求項４】
前記絶縁被覆材の内面に設けられた前記接着剤が前記絶縁被覆材の外面に付着しないようにする接着剤付着防止手段が設けられていることを特徴とする請求項１乃至３のいずれかに記載の接続スリーブ。
【発明の詳細な説明】
【技術分野】
【０００１】
本発明は、２本の電線の端部同士を接続するために用いる接続スリーブに関し、特に、２本の電線を圧縮接続した後にスリーブを含む充電露出部を被覆するための絶縁被覆材を一体に備えた接続スリーブに関する。
【背景技術】
【０００２】
例えば、張力が作用しない状態で架設される高圧電線（例えば、高圧引下線）が断線した場合には、電線の心線と同一素材からなる圧縮接続スリーブ を用いて改修作業を行うようにしている（特許文献１参照）。このような改修作業は、例えば図５に示すように損傷個所を切断除去した両側の電線１０の端部の絶縁被覆を所定長に亘って除去して芯線１０ａを露出させ、この各電線端部の露出した芯線１０ａをスリーブ１００の両端部から挿着孔１０１に差し込み、スリーブ１００の所定箇所を専用の工具を用いて圧縮して芯線外周面に圧着させる。その後、スリーブ１００の外周面を含む両側の電線１０の被覆の外周面にかけて絶縁テープ１０２を巻き付けて絶縁処理を施したり、絶縁スリーブカバー１０３を取り付けたりすることで作業を完了させるようにしている。
【先行技術文献】
【特許文献】
【０００３】
【特許文献１】特開２００７−１２８８００号公報
【発明の概要】
【発明が解決しようとする課題】
【０００４】
しかしながら、従来の接続スリーブにおいては、電線を圧縮接続した後に、充電部の露出防止の方法として、スリーブを含む充電部の露出部に間接活線工具を用いて絶縁テープを近接させ、充電露出部全体が覆われるまで巻きつける作業が必要となり、又は、スリーブカバーを間接活線工具を用いて近接させ、充電露出部全体を覆うように被せて閉じる作業が必要となり、スリーブによる電線の圧縮接続作業の後に絶縁処理を行う部材（テープやカバー）を間接活線工具を用いて電線にアプローチしなければならず、手間がかかるものであり、また、絶縁処理を行う部材をアプローチする際にこれら部材（テープやカバー）を落下させてしまう恐れがある。
【０００５】
本願発明は、かかる事情に鑑みてなされたものであり、絶縁処理の作業をスリーブによる電線の圧縮接続作業に連続して行うことができ、従来の絶縁テープの巻き付け作業や絶縁スリーブカバーの取り付け作業を不要とした接続スリーブを提供することを主たる課題としている。
【課題を解決するための手段】
【０００６】
上記課題を達成するために、本願発明に係る接続スリーブは、２本の架空電線を接続するための圧縮形の接続スリーブであって、前記２本の電線の芯線を圧縮接続するために電線接続用の挿着孔が両端部に設けられた導電性のスリーブ本体と、このスリーブ本体の圧縮箇所を避けた外周面に固定され、前記スリーブ本体の周囲を覆うと共に前記スリーブ本体の前記端部よりも軸方向外側に伸張可能な絶縁被覆材と、前記絶縁被覆材に取り付けられた把持部と、前記絶縁被覆材の内面に設けられた接着剤と、を具備し、前記絶縁被覆材は、径の異なる複数の筒状体を軸方向に移動可能に嵌合し、前記把持部を最外段筒状体の外周面に設け、前記接着剤を前記最外段筒状体の内周面に設けたことを特徴としている。
【０００７】
したがって、スリーブ本体の両端から電線の芯線を挿入してスリーブ本体の外側から専用工具を用いて圧縮することで芯線外周面にスリーブを圧着させた後に、間接活線工具でスリーブ本体に固定されている絶縁被覆材の把持部を摘まんで電線の被覆にかけて絶縁被覆材を伸張させ、その伸張させた絶縁被覆材の先端部を外側から挟み込む等して絶縁被覆材の内面を電線に圧接させれば、絶縁被覆材の内面が接着剤を介して電線の被覆に接着し、絶縁処理が完了する。このため、電線の接続スリーブによる圧縮接続から露出充電部の絶縁処理までを一連の作業で行うことが可能となる。
【０００８】
ここで、前記把持部は、前記絶縁被覆材に対して破断可能に、又は、屈折可能に設けられるようにしてもよい。このような構成においては、把持部を破断する際に、また、スリーブ本体の周囲に添わせるように把持部を屈折させる際に、絶縁被覆材の内面の接着剤を電線の表面に押し当てることが可能となり、把持部の処理と絶縁被覆材の電線への接着とを同時に行うことが可能となる。
【０００９】
なお、前記絶縁被覆材は、前記スリーブ本体の略中央に軸方向にずらして一対設けられ、一方の絶縁被覆材を、軸方向において他方の絶縁被覆材とは反対側に位置する一方の端部よりも軸方向外側に伸張可能とし、前記他方の絶縁被覆材を、軸方向において前記一方の絶縁被覆材とは反対側に位置する他方の端部よりも軸方向外側に伸張可能とすることが望ましい。
【００１０】
また、絶縁被覆材として、径の異なる複数の筒状体を軸方向に移動可能に嵌合し（外側の筒状体を内側の筒状体に対して軸方向に移動可能に構成し）、前記把持部を最外段筒状体の外周面に設け、前記接着剤を前記最外段筒状体の内周面に設けるようにしたので、把持部を把持して軸方向に移動させることにより、絶縁被覆材を電線の被覆にかけて伸長させることが可能となる。
【００１１】
なお、前記絶縁被覆材の内面に設けられた前記接着剤が前記絶縁被覆材の外面に付着しないようにする接着剤付着防止手段を設けるようにするとよい。例えば、接着剤が設けられている部分の絶縁被覆材の内面に突起を設け、接着剤が設けられている部分と重なる絶縁被覆材の部分をこの突起を介して離すようにしても、また、接着剤が設けられている部分の絶縁被覆材の内面に後から除去可能な保護フィルムを設けるようにしてもよい。
【発明の効果】
【００１２】
以上述べたように、２本の架空電線を接続するための接続スリーブを、電線接続用の挿着孔が両端部に設けられた導電性のスリーブ本体と、このスリーブ本体の圧縮箇所を避けた外周面に固定されて、スリーブ本体の周囲を覆うと共にスリーブ本体の端部よりも軸方向外側に伸張可能な絶縁被覆材と、絶縁被覆材に取り付けられた把持部と、絶縁被覆材の内面に設けられた接着剤とを有して構成し、スリーブ本体による電線の圧縮接続作業の後に、絶縁被覆材の把持部を摘まんで電線の被覆にかけて伸張させ、その伸張させた絶縁被覆材の内面を電線に圧接させることで、絶縁処理が完了するので、電線の接続スリーブによる圧縮接続作業から露出充電部の絶縁処理までを一連の作業で行うことが可能となり、絶縁処理を手間をかけずに迅速に行うことが可能になる。また、スリーブ本体に絶縁被覆材が固定されているので、従来の絶縁テープの巻き付け作業や絶縁スリーブカバーの取り付け作業が不要となり、絶縁処理を行う部材を露出充電部にアプローチさせる操作が不要になると共に絶縁処理を行う部材を落下させてしまう恐れもなくなる。
【００１３】
さらに、把持部を絶縁被覆材に対して破断可能に、又は、屈折可能に設けるようにすることで、把持部の破断作業や屈折作業の際に絶縁被覆材の内面の接着剤を電線の表面に押し当てることが可能となり、把持部の処理と絶縁被覆材の電線への接着とを同時に行うことが可能となり、作業工数を減らすことが可能となる。
【図面の簡単な説明】
【００１４】
【図１】図１は、本願発明に係る接続スリーブを示す図であり、（ａ）は、絶縁被覆材を伸張させない状態の接続スリーブを示す斜視図、（ｂ）は、絶縁ヤットコで絶縁被覆材の把持部を摘まんだ状態を示すスリーブの軸方向から見た図である。
【図２】図２は、絶縁被覆材の伸張させた状態を示す斜視図であり、（ａ）は、第１の構成例を示す図であり、（ｂ）は、第２の構成例を示す図である。
【図３】図３は、接着剤付着防止手段を説明するために接続スリーブの軸方向からみた端面を示す図であり、（ａ）は接着剤付着防止手段の第１の構成例を示す図であり、（ｂ）は、接着剤付着防止手段の第２の構成例を示す図である。
【図４】図４は、本発明に係る接続スリーブを用いた作業手順を説明する図である。
【図５】図５は、従来のスリーブを用いた作業手順を説明する図である。
【発明を実施するための最良の形態】
【００１５】
以下、本発明の実施例を図面に基づき説明する。
【００１６】
図１において、本願発明に係る接続スリーブの構成例が示されている。
この接続スリーブ１は、金属製のスリーブ本体２と、このスリーブ本体に取り付けられた一対の絶縁被覆材３，３とを有して構成されている。
【００１７】
スリーブ本体２は、連結すべき電線の径や使用箇所によってその大きさや長さが異なるが、直線スリーブによって構成されている。このスリーブ本体２は、銅や真鍮などの導電性の高い金属筒状体に形成され、両端部に電線の芯線を挿入する挿着孔４が軸方向に形成されている。この挿着孔４の内径は、挿入すべき電線の芯線の径よりも僅かに大きく形成されている。なお、スリーブ本体の略中央には、内部空間を一端側と他端側とに仕切る隔壁が設けられるものであっても、電線の芯線の挿入長を規定するくびれ部が形成されるものであってもよい。また、挿着孔４内には、導電性の接着剤が充填されるものであってもよい。
【００１８】
絶縁被覆材３は、スリーブ本体２の圧縮箇所を避けた外周面に固定されているもので、この例では、スリーブ本体２の略中央に軸方向に隣接させて一対設けられている。ぞれぞれの絶縁被覆材３は、絶縁性の樹脂材等で構成された肉薄の帯状に形成されたものをスリーブ本体に巻設して構成されているもので、最も内側の部分がスリーブ本体の外周面に接着固定され、この固定位置から外側の巻設部分が軸方向にスライドできるようにしている。
【００１９】
この例においては、この絶縁被覆材３の最も外側の外周面（移動端部の外面）に、絶縁ヤットコ等の間接活線把持工具１１で把持可能な把持部５が径方向外側に突設され、この把持部５を軸方向に移動させることにより、図２（ａ）に示されるように、絶縁被覆材３を最も外側の部分から軸方向に螺旋状に伸長させ、把持部５を移動させた箇所にかけて絶縁被覆材で覆うことができるようにしている。
【００２０】
なお、把持部５は、断面積が小さい連結部６を介して絶縁被覆材３に固定されており、連結部６を破断させることにより把持部５を除去でき、又は、連結部６を周方向に屈曲させることにより把持部５を絶縁被覆材３の表面に添わせることができるようになっている。
【００２１】
一方の絶縁被覆材３１は、軸方向において他方の絶縁被覆材３２とは反対側に位置するスリーブ本体２の一方の端部２ａよりも軸方向に伸張可能であり、また、他方の絶縁被覆材３２は、軸方向において一方の絶縁被覆材３１とは反対側に位置する他方の端部２ｂよりも軸方向に伸張可能となっている。
【００２２】
また、図３（ａ）に示されるように、絶縁被覆材３の最も外側となる部分３ａの内面には、接着剤７が塗布され、この接着剤７が径方向で隣接する絶縁被覆材の外周面に接触しないように絶縁被覆材３の最も外側となる部分３ａの内周面の周方向に等間隔に突起８が形成され、絶縁被覆材３の最も外側となる部分３ａとその内側の部分３ｂとの間に間隙９を形成するようにしている。
【００２３】
以上の構成において、例えば、断線した高圧引下線の改修作業を行うには、図４（ａ）に示されるように、先ず、両側のそれぞれの電線１０の端部の被覆を剥いで芯線１０ａを露出させる。ここで、剥き出される芯線１０ａの長さは、接続スリーブ２の全長の１／２よりも若干長めにする。そして、接続スリーブ２の両端にそれぞれの電線１０の芯線１０ａを挿入し、図示しない圧縮工具を用いて接続スリーブの所定箇所を潰すことにより接続スリーブ２と電線１０の芯線１０aとを圧縮固定する。
【００２４】
その後、作業者は、絶縁ヤットコ等の間接活線把持工具を用いて絶縁被覆材３の把持部５を把持し、その状態で軸方向に沿って移動させ、電線１０の被覆を覆うまで移動させる。
即ち、一方の絶縁被覆材３１をその把持部５を摘まんで他方の絶縁被覆材３２とは反対側に軸方向に沿って移動させ、スリーブ本体２の一方の端部２ａよりも軸方向に伸張させ、一方の電線１０の被覆を覆うにし、また、他方の絶縁被覆材３２をその把持部５を摘まんで一方の絶縁被覆材３１とは反対側に軸方向に沿って移動させ、スリーブ本体２の他方の端部２ｂよりも軸方向に伸張させ、他方の電線１０の被覆を覆うようにする。
【００２５】
そして、間接活線把持工具１１でそれぞれの絶縁被覆材３（３１，３２）の移動端部を挟み込むように圧縮させることで、又は、把持部５を捩って破断させる際に絶縁被覆材３の移動端部の内面を電線１０の被覆に押し付けることで、又は、把持部５を絶縁被覆材３の周面に沿わせるように屈曲させる際に絶縁被覆材３の移動端部の内面を電線１０の被覆に押し付けることで、移動端部の内面の接着剤７を電線１０の被覆に押し付け、絶縁被覆材３の移動端部を電線１０の被覆に接着させて絶縁処理を完了させる。
【００２６】
したがって、上述の構成によれば、電線１０の接続スリーブ２による圧縮接続から露出充電部の絶縁処理までを一連の作業で行うことが可能となり、また、絶縁処理を手間をかけずに迅速に行うことが可能になる。しかも、絶縁被覆材３はスリーブ本体２に固定されており、従来のように、絶縁テープを電線にアプローチして巻き付ける作業や絶縁スリーブカバーを電線にアプローチして取り付ける作業が不要となるので、作業工数を減らすことができ、また、絶縁処理を行う部材を落下させてしまう恐れもなくなる。
【００２７】
さらに、上述の構成においては、把持部５を絶縁被覆材３から除去する作業の際に、又は、把持部５を絶縁被覆材３に沿って屈折させる作業の際に、絶縁被覆材３の内面の接着剤７を電線１０の表面に押し当てることが可能となり、把持部５の処理と絶縁被覆材３の電線１０への接着とを同時に行うことが可能となり、作業工数を一層減らすことが可能となる。
【００２８】
なお、以上の構成においては、絶縁被覆材３としてスリーブ本体２に巻設された帯状に形成した例を示したが、図２（ｂ）に示されるように、絶縁被覆材３を、径の異なる複数の筒状体３ａ，３ｂ，３ｃを軸方向に移動可能に嵌合し（外側の筒状体を内側の筒状体に対して軸方向に移動可能に構成し）、最内段筒状体３ｃをスリーブ本体２に固定しておき、把持部５を最外段筒状体３ａの外周面に設け、接着剤を最外段筒状体３ａの内周面に設けるようにしてもよい。
【００２９】
このような構成においても、把持部５を把持して軸方向に移動させることにより、絶縁被覆材３を電線１０の被覆にかけて伸長させることが可能となり、前記構成例と同様の作用効果を得ることが可能となる。
【００３０】
また、以上の構成において、絶縁被覆材３の最も外側となる部分の内側に設けられた接着剤７が絶縁被覆材３の外周面と接触しないように、絶縁被覆材の最も外側となる部分の内周面に突起８を設けた例を示したが、図３（ｂ）に示されるように、接着剤７が設けられている部分の絶縁被覆材３の内面に把持部５の連結部６と一体をなす可撓性の保護フィルム１２を設け、把持部５を絶縁被覆材３から除去する際に保護フィルム１２も同時に除去して（同時に抜き取り）接着剤７を電線１０の被覆に接触させるようにしてもよい。
【符号の説明】
【００３１】
１  接続スリーブ
２  スリーブ本体
３  絶縁被覆材
４  挿着孔
５  把持部
６  連結部
７  接着剤
８  突起
１０  電線
１０ａ  芯線
１２  保護フィルム
【要約】
【課題】絶縁処理の作業をスリーブによる電線の圧縮接続作業に連続して行うことができ、従来の絶縁テープの巻き付け作業や絶縁スリーブカバーの取り付け作業を不要とした接続スリーブを提供する。
【解決手段】接続スリーブ１を、２本の電線１０の芯線１０ａを圧縮接続するために電線接続用の挿着孔４が両端部に設けられた導電性のスリーブ本体２と、このスリーブ本体２の圧縮箇所を避けた外周面に固定された絶縁被覆材３とを有して構成する。絶縁被覆材３は、スリーブ本体２の周囲を覆うと共にスリーブ本体２の端部よりも軸方向外側に伸張可能であり、移動端の外周面に把持部５を備え、絶縁被覆材３の内面に接着剤が設けられている。
【選択図】  図４【図１】
0005497143.tif 000002
【図２】
0005497143.tif 000003
【図３】
0005497143.tif 000004
【図４】
0005497143.tif 000005
【図５】
0005497143.tif 000006